(57)【要約】      （修正有）【課題】浮遊物の飛散を防止することができる小型で低コストなハウジング構造並びにそのハウジング構造を備えた記録装置及び電子機器を提供すること。【解決手段】浮遊物発生部１９０に繋がる開口穴１０２ｄ、１０２ｅ、１０２ｆ、１０２ｇを遮蔽する遮蔽部材１０３ｄ、１０３ｅ、１０３ｆ、１０３ｇがハウジング１０２、１０７、１７１に一体成形され、かつ前記開口穴を部分的に遮蔽するリブ１０３ｄ、１０３ｅ、１０３ｆ、１０３ｇを備える。これにより、浮遊物発生部にて発生した浮遊物は、開口穴を通って浮遊物発生部外へ流れ出ることが困難となるので、ハウジング内部や外部等への浮遊物の付着を防止することができる。【選択図】図５
2008062530.tif 000002
【特許請求の範囲】
【請求項１】
浮遊物の発生部が内蔵されたハウジング構造であって、
前記浮遊物発生部に繋がる開口穴を遮蔽する遮蔽部材がハウジングに一体成形され、かつ前記開口穴を部分的に遮蔽するリブを備えていることを特徴とするハウジング構造。
【請求項２】
前記開口穴内の流路が、前記リブを乗り越えるＶ字状の流路となるように当該開口穴を当該リブが遮蔽することを特徴とする請求項１に記載のハウジング構造。
【請求項３】
前記開口穴は、配線用若しくは係止用の穴であることを特徴とする請求項１又は２に記載のハウジング構造。
【請求項４】
インク滴を吐出しつつ移動して記録する記録ヘッドを備えた記録装置であって、
請求項１〜３の何れか一項に記載のハウジング構造を備えたことを特徴とする記録装置。
【請求項５】
前記記録ヘッドを備えた記録部が前記浮遊物発生部であり、当該記録部にて発生するインクミストが前記浮遊物であることを特徴とする請求項４に記載の記録装置。
【請求項６】
前記記録ヘッドは、フラッシング処理が実行可能であることを特徴とする請求項５に記載の記録装置。
【請求項７】
請求項１〜３の何れか一項に記載のハウジング構造を備えたことを特徴とする電子機器。
【発明の詳細な説明】
【技術分野】
【０００１】
本発明は、浮遊物の発生部が内蔵されたハウジング構造並びにそのハウジング構造を備えた記録装置及び電子機器に関する。
【背景技術】
【０００２】
電子機器の１つであるインクジェット式記録装置は、記録ヘッドが搭載されたキャリッジを移動させつつ、記録ヘッドに設けられたノズル開口からインク滴を吐出することにより記録するようになっている。ところが、インク滴の吐出が少ないノズル開口においては、インク溶媒の蒸発に起因するインク粘度の上昇により、目詰まりが発生し易くなる。そこで、全ノズル開口からインク滴を廃インク吸収材に向けて定期的に吐出させるフラッシング処理を実行することにより、目詰まりを防止するようにしている。
【０００３】
ところで、近年の高画質化に伴ってインク滴の粒径が小さくなってきているため、インク滴の一部が廃インク吸収材に到達する前に空気抵抗によってミスト化して浮遊する場合がある。そして、浮遊しているインクミストは、キャリッジの移動に伴う空気流によっても煽られて飛散し、記録装置の内外や用紙に付着して汚染するおそれがある。尚、このインクミストの発生は、フラッシング処理のみならず、所謂縁無し印刷処理が可能な記録装置においても発生する。
【０００４】
そこで、記録ヘッドの移動経路に筐体状のインク回収ユニットを設けたインクジェット式記録装置が提案されている。このインク回収ユニットは、インクミストを受け入れる受入開口部及び受入開口部から繋がる空気流路が形成されており、空気流路の終端部には排気ファンが配置されている。このような構成のインク回収ユニットによれば、排気ファンを回転させて空気流路内に空気流を発生させることにより、インクミストを受入開口部から空気流路内に取り込んで、空気流路内に配設されている板状部材に衝突させて捕獲することができる（特許文献１参照）。
【０００５】
【特許文献１】特開２００１−１９１５５７号公報
【発明の開示】
【発明が解決しようとする課題】
【０００６】
上述したインクジェット式記録装置では、インク回収ユニットを個別に設ける必要があるため、インクジェット式記録装置のハウジングが大型化し、製品コストが上昇する場合がある。
【０００７】
本発明は、上記のような課題に鑑みなされたものであり、その目的は、浮遊物の飛散を防止することができる小型で低コストなハウジング構造並びにそのハウジング構造を備えた記録装置及び電子機器を提供することにある。
【課題を解決するための手段】
【０００８】
上記目的達成のため、本発明のハウジング構造では、浮遊物の発生部が内蔵されたハウジング構造であって、前記浮遊物発生部に繋がる開口穴を遮蔽する遮蔽部材がハウジングに一体成形され、かつ前記開口穴を部分的に遮蔽するリブを備えていることを特徴としている。これにより、浮遊物発生部にて発生した浮遊物は、開口穴を通って浮遊物発生部外へ流れ出ることが困難となるので、ハウジング内部や外部等への浮遊物の付着を防止することができる。そして、浮遊物はリブに衝突してリブに付着し易くなるので、浮遊物発生部外への飛散を防止することができる。
【０００９】
また、前記開口穴内の流路が、前記リブを乗り越えるＶ字状の流路となるように当該開口穴を当該リブが遮蔽することを特徴としている。これにより、浮遊物の流路が長くなるので、浮遊物発生部外への浮遊物の侵入防止効果を高めることができる。また、前記開口穴は、配線用若しくは係止用の穴であることを特徴としている。これにより、浮遊物発生部を略密閉することができる。
【００１０】
上記目的達成のため、本発明の記録装置では、インク滴を吐出しつつ移動して記録する記録ヘッドを備えた記録装置であって、上記各ハウジング構造を備えたことを特徴としている。これにより、上記各作用効果を奏する記録装置を提供することが可能である。また、前記記録ヘッドを備えた記録部が前記浮遊物発生部であり、当該記録部にて発生するインクミストが前記浮遊物であることを特徴としている。これにより、特に制御基板等の電気系部分の短絡や被記録媒体の汚染を防止することができる。また、前記記録ヘッドは、フラッシング処理が実行可能であることを特徴としている。これにより、インクミストが特に飛散し易いフラッシング処理が可能な記録装置におけるインクミストの汚染を防止することができる。また、上記目的達成のため、本発明の電子機器では、上記ハウジング構造を備えたことを特徴としている。これにより、上記各作用効果を奏する電子機器を提供することが可能である。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係るハウジング構造を備えた電子機器である記録装置の外観構成の全体を示す斜視図、図２は、図１のハウジング構造を示す分解斜視図、図３は、図１の記録装置の上部を取り外した状態を示す斜視図、図４は、図１の記録装置の内部を示す斜視図である。この記録装置は、プリンタ、コピー及びスキャナの機能を有するインクジェット式複合機１００である。このインクジェット式複合機１００は、図１に示すように、全体が略直方体状のハウジング構造１０１で覆われている。このハウジング構造１０１は、図１及び図２に示すように、ミドルハウジング１０２、スロットハウジング１０３、パネルハウジング１０４及びオペレーションパネル１０５に分割されている。
【００１３】
ミドルハウジング１０２は、図１に示すロワーハウジング１０６上に配設された図３及び図４に示すネットワーク機能用制御部１７０、用紙搬送部１８０及び記録部（浮遊物発生部）１９０等を覆うと共に、図１に示すように、前面側に操作部１１０、メモリカードスロット部１２０、ディスクスロット部１３０及び排紙部１５０が配設され、背面側に給紙部１４０が配設され、更に上部にスキャナ１６０が配設される図２に示すような略箱状に形成されている。スロットハウジング１０３は、図１に示すように、メモリカードスロット部１２０及びディスクスロット部１３０を覆うようにミドルハウジング１０２の前面側から差し込まれて取り付けられる図２に示すような垂直視断面が略コの字状に形成されている。
【００１４】
パネルハウジング１０４は、図１に示すように、操作部１１０を覆うようにスロットハウジング１０３の上部に取り付けられる図２に示すような略平板状に形成されている。オペレーションパネル１０５は、図２に示すように、側面がスロットハウジング１０３の縁部に当接して位置決めされ、図１に示すように、パネルハウジング１０４を覆うように取り付けられる図２に示すような略平板状に形成されている。尚、このハウジング構造１０１の詳細については後述する。
【００１５】
そして、図１に示すように、ハウジング構造１０１の上面における前面側には操作部１１０が配設され、前面における図示左側にはメモリカードスロット部１２０が配設され、前面における図示右側にはディスクスロット部１３０が配設されている。更に、ハウジング構造１０１の上面における背面側には給紙部１４０が配設され、前面側には排紙部１５０が配設され、上面にはスキャナ１６０が配設されている。また、図３及び図４に示すように、ハウジング構造１０１の内部には、ネットワーク機能用制御部１７０、用紙搬送部１８０及び記録部１９０が配設されている。
【００１６】
操作部１１０は、図１に示すように、略矩形状の操作パネル１１１を備え、この操作パネル１１１の略中央部に操作状態等を表示するユニット化された液晶ディスプレイ１１２が装着されている。そして、液晶ディスプレイ１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１７】
メモリカードスロット部１２０は、図１に示すように、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１８】
ディスクスロット部１３０は、図１に示すように、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１９】
給紙部１４０は、図１に示すように、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００２０】
排紙部１５０は、図１に示すように、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。
【００２１】
ネットワーク機能用制御部１７０は、図３に示すように、着脱自在なカバー（ハウジング）１７１で覆われた基板格納部１７２内に無線ＬＡＮやＴＶとの接続を可能とする図示しないネットワーク機能用基板を備えている。用紙搬送部１８０は、図３及び図４に示すように、紙送りローラ１８１及び従動ローラ１８２等を備えている。給紙部１３０から給送される用紙は、図示しない紙送りモータにより回転される紙送りローラ１８１及び従動ローラ１８２により挟持されて搬送される。
【００２２】
記録部１９０は、図３及び図４に示すように、キャリッジ１９１、プラテン１９２、図示しない記録ヘッド及び廃インク吸収材等を備えている。記録ヘッドは、フルカラー印刷が可能なように、ハウジング構造１０１の前面両側内部に収納された例えばイエロー、マゼンタ、シアン、ライトマゼンタ、ライトシアン、ブラックの計６色の図示しないインクカートリッジから各色インクが供給される。そして、図示しないキャリッジモータにより走査されるキャリッジ１９１に搭載された記録ヘッドは、紙送りローラ１８１及び従動ローラ１８２により挟持されて搬送される用紙に対し、ノズル開口からインク滴を吐出して縁無し印刷処理等を実行する。また、インク滴の吐出が少ないノズル開口においては、インク溶媒の蒸発に起因するインク粘度の上昇により、目詰まりが発生し易くなるので、全ノズル開口からインク滴を廃インク吸収材に向けて定期的に吐出させるフラッシング処理を実行する。
【００２３】
ここで、この記録部１９０においては、フラッシング処理や縁無し印刷処理等のときに、記録ヘッドから吐出されるインク滴の一部が廃インク吸収材に到達する前に空気抵抗によってミスト化して浮遊する場合がある。そして、浮遊しているインクミストは、キャリッジ１９１の移動に伴う空気流によっても煽られて飛散し、特にネットワーク機能用制御部１７０のカバー１７１で覆われた基板格納部１７２内に配設されているネットワーク機能用基板や後述するカバーハウジング１０７で覆われたプリンタコントローラを構成する図示しないメイン基板に付着して汚染するおそれがある。そこで、本実施形態のハウジング構造１０１は上記問題を解消するために以下のような特徴を備えており、更に図を参照して説明する。
【００２４】
図５（Ａ）、（Ｂ）及び図７（Ａ）、（Ｂ）は、上記ハウジング構造１０１の特徴部分を示す斜視図、図６（Ａ）、（Ｂ）及び図８（Ａ）、（Ｂ）は、図５（Ａ）、（Ｂ）及び図７（Ａ）、（Ｂ）に示す各特徴部分Ａ、Ｂ、Ｃ、Ｄの拡大斜視図である。図５（Ａ）に示すように、ハウジング構造１０１は、記録部１９０を覆うと共に、ネットワーク機能用制御部１７０の基板格納部１７２及びネットワーク機能用制御部１７０等からのケーブル等が配線されると共にメイン基板が配設されるケーブル配線部１７３を形成するミドルハウジング１０２と、上記ケーブル配線部１７３を覆うようにミドルハウジング１０２に着脱自在なカバーハウジング１０７を備えている。尚、ミドルハウジング１０２における記録部１９０の上方には、メンテナンス用の開口部１０２ａが設けられているが、この開口部１０２ａはメンテナンス時以外はスキャナ１６０で覆われているため、インクミスト等の飛散には関与しない。
【００２５】
そして、図５（Ａ）及び図６（Ａ）に示すように、ミドルハウジング１０２におけるケーブル配線部１７３と記録部１９０との隔壁１０２ｂ及びケーブル配線部１７３とネットワーク機能用制御部１７０との隔壁１０２ｃには、カバーハウジング１０７を固定するための係止穴（開口穴）１０２ｄ、１０２ｅが穿設されている。更に、ミドルハウジング１０２におけるケーブル配線部１７３とネットワーク機能用制御部１７０との隔壁１０２ｃには、メイン基板からのケーブルを通す配線穴（開口穴）１０２ｆ、１０２ｇが穿設されている。係止穴１０２ｄは、３箇所穿設されてケーブル配線部１７３と記録部１９０とを連通している。また、係止穴１０２ｅは２箇所穿設され、配線穴１０２ｆ、１０２ｇはそれぞれ１箇所穿設されてケーブル配線部１７３と基板格納部１７２とを連通している。このため、記録部１９０で浮遊しているインクミストは、キャリッジ１９１の移動に伴う空気流によっても煽られて、係止穴１０２ｄを抜けてケーブル配線部１７３を通り、係止穴１０２ｅや配線穴１０２ｆ、１０２ｇを抜けて基板格納部１７２内に侵入し、メイン基板に付着して汚染するおそれがある。
【００２６】
そこで、図５（Ｂ）及び図６（Ｂ）に示すように、カバーハウジング１０７における上記係止穴１０２ｄ、１０２ｅ及び上記配線穴１０２ｆ、１０２ｇに対応する位置には、上記係止穴１０２ｄ、１０２ｅ及び上記配線穴１０２ｆ、１０２ｇを遮蔽する係止穴用リブ（遮蔽部材）１０３ｄ、１０３ｅ及び配線穴用リブ（遮蔽部材）１０３ｆ、１０３ｇが一体成形されている。即ち、係止穴用リブ１０３ｄは、側面視断面が略Ｌ字の板状で装置下方に突設されており、係止穴１０２ｄの上部を遮蔽する。係止穴用リブ１０３ｅは、略角柱状で装置後方に突設されており、係止穴１０２ｅの上部を遮蔽する。配線穴用リブ１０３ｆは、上面視断面が略コの字の板状で装置下方に突設されており、配線穴１０２ｆの上部を遮蔽する。配線穴用リブ１０３ｇは、上面視断面が略コの字の板状で装置下方に突設されており、配線穴１０２ｇの上部を遮蔽する。
【００２７】
更に、比較的大きな開口を有する配線穴１０２ｆからのインクミストの侵入を確実に防止するために、図７（Ａ）及び図８（Ａ）に示すように、基板格納部１７２内における配線穴１０２ｆには、配線穴用リブ（遮蔽部材）１７２ｆがミドルハウジング１０２に一体成形されている。即ち、配線穴用リブ１７２ｆは、上面視断面が略Ｌ字の板状で装置上方に突設されており、配線穴１０２ｆの後方上部及び一部後部を除く部分を遮蔽する。そして更に、配線穴１０２ｆ、１０２ｇからのインクミストの侵入を確実に防止するために、図７（Ｂ）及び図８（Ｂ）に示すように、カバー１７１における上記配線穴１０２ｆ、１０２ｇに対応する位置には、上記配線穴１０２ｆ、１０２ｇを遮蔽する配線穴用リブ（遮蔽部材）１７１ｆ、１７１ｇが一体成形されている。即ち、配線穴用リブ１７１ｆは、上面視断面が略Ｅ字の板状で装置下方に突設されており、配線穴用リブ１７２ｆ内に上方から入り込んで配線穴１０２ｆの後方上部及び一部後部を遮蔽する。遮蔽部材１７１ｇは、上面視断面が略Ｅ字の板状で装置下方に突設されており、配線穴１０２ｇの後方上部を遮蔽する。
【００２８】
図９は、上記係止穴１０２ｄ、１０２ｅ及び上記配線穴１０２ｆ、１０２ｇが、上記係止穴用リブ１０３ｄ、１０３ｅ及び上記配線穴用リブ１０３ｆ、１０３ｇ、１７２ｆ、１７１ｆ、１７１ｇにより遮蔽された状態を示す断面図である。図示（ｂ）は、図示（ａ）におけるＹ−Ｙ線断面であり、係止穴１０２ｄが係止穴用リブ１０３ｄにより遮蔽された状態を示す。図示（ｃ）は、図示（ａ）におけるＶ−Ｖ線断面であり、係止穴１０２ｅが係止穴用リブ１０３ｅにより遮蔽された状態を示す。図示（ｄ）は、図示（ａ）におけるＸ−Ｘ線断面であり、配線穴１０２ｆが配線穴用リブ１０３ｆ、１７２ｆ、１７１ｆにより遮蔽された状態を示す。図示（ｅ）は、図示（ａ）におけるＷ−Ｗ線断面であり、配線穴１０２ｇが配線穴用リブ１０３ｇ、１７１ｇにより遮蔽された状態を示す。各図中の矢印は各部における空気流を示しており、各部においては係止穴用リブ１０３ｄ、１０３ｅ及び配線穴用リブ１０３ｆ、１０３ｇ、１７２ｆ、１７１ｆ、１７１ｇを乗り越えるＶ字状の流路となるように、係止穴１０２ｄ、１０２ｅ及び配線穴１０２ｆ、１０２ｇを係止穴用リブ１０３ｄ、１０３ｅ及び配線穴用リブ１０３ｆ、１０３ｇ、１７２ｆ、１７１ｆ、１７１ｇが遮蔽されているため、インクミストは侵入し難くなる。また、配線穴１０２ｆ、１０２ｇにおいては部分的に遮蔽されていることから、ケーブル等を配線穴１０２ｆ、１０２ｇに通すことができる。
【００２９】
尚、上述した実施形態では、記録部１９０とケーブル配線部１７３と基板格納部１７２との間に穿設した係止穴１０２ｄ、１０２ｅ及び配線穴１０２ｆ、１０２ｇに係止穴用リブ１０３ｄ、１０３ｅ及び配線穴用リブ１０３ｆ、１０３ｇ、１７２ｆ、１７１ｆ、１７１ｇを設けるようにしたが、記録部１９０と他の部分との間に穿設した係止穴や配線穴等にも適用可能である。また、インクミストの拡散のみならず、浮遊物であれば塵や埃等の異物の拡散も防止することができる。
【産業上の利用可能性】
【００３０】
ハウジング構造を備えた記録装置であれば、例えばファクシミリ装置、コピー装置、スキャナ等であっても適用可能である。また、記録装置に限らず、パネル構造を備えた一般的な電子装置にも適用可能である。
【図面の簡単な説明】
【００３１】
【図１】本発明の一実施の形態に係るハウジング構造を備えた電子機器である記録装置の外観構成の全体を示す斜視図である。
【図２】図１のハウジング構造を示す分解斜視図である。
【図３】図１の記録装置の上部を取り外した状態を示す斜視図である。
【図４】図１の記録装置の内部を示す斜視図である。
【図５】図１のハウジングの特徴部分を示す第１の斜視図である。
【図６】図５（Ａ）、（Ｂ）に示す各特徴部分Ａ、Ｂの拡大斜視図である。
【図７】図１のハウジングの特徴部分を示す第２の斜視図である。
【図８】図７（Ａ）、（Ｂ）に示す各特徴部分Ｃ、Ｄの拡大斜視図である。
【図９】図６と図８の係止穴及び配線穴が遮蔽部材により遮蔽された状態を示す断面図である。
【符号の説明】
【００３２】
１００  インクジェット式複合機、１０１  ハウジング構造、１０２  ミドルハウジング、１０２ｄ、１０２ｅ  係止穴、１０２ｆ、１０２ｇ  配線穴、１０７  カバーハウジング、１０３ｄ、１０３ｅ  係止穴用リブ、１０３ｆ、１０３ｇ、１７２ｆ、１７１ｆ、１７１ｇ  配線穴用リブ、１１０  操作部、１２０  メモリカードスロット部、１３０  ディスクスロット部、１４０  給紙部、１５０  排紙部、１６０  スキャナ、１７０  ネットワーク機能用制御部、１７１  カバー、１７２  基板格納部、１７３  ケーブル配線部、１８０  用紙搬送部、１９０  記録部
【図１】
2008062530.tif 000003
【図２】
2008062530.tif 000004
【図３】
2008062530.tif 000005
【図４】
2008062530.tif 000006
【図５】
2008062530.tif 000007
【図６】
2008062530.tif 000008
【図７】
2008062530.tif 000009
【図８】
2008062530.tif 000010
【図９】
2008062530.tif 000011